(57)【要約】      （修正有）【課題】負荷装置に伝播するノイズを特に低減するノイズ抑制回路を提供する。【解決手段】信号を出力する第一の装置Ｄ１およびその信号が入力する第二の装置Ｄ２との間に設けられた第一および第二の導電線Ｅ１，Ｅ２を伝播するノイズを抑制するための回路であって、第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられ、第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられ、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられる。【選択図】図１
2010187315.tif 000002
【特許請求の範囲】
【請求項１】
信号を出力する第一の装置Ｄ１およびその信号が入力する第二の装置Ｄ２との間に設けられた第一および第二の導電線Ｅ１，Ｅ２を伝播するノイズを抑制するための回路であって、
前記第一の導電線Ｅ１は、第一の分岐点Ｐ１および当該第一の分岐点Ｐ１と第二の装置Ｄ２との間に設けられた第二の分岐点Ｐ２を有し、
前記第二の導電線Ｅ２は、第三の分岐点Ｐ３および当該第三の分岐点Ｐ３と第二の装置Ｄ２との間に設けられた第四の分岐点Ｐ４を有し、
前記第一の分岐点Ｐ１と前記第三の分岐点Ｐ３とは第一の連絡導電線Ｂ１で接続され、
前記第二の分岐点Ｐ２と前記第四の分岐点Ｐ４とは第二の連絡導電線Ｂ２で接続され、
前記第一の導電線Ｅ１には、前記第一の分岐点Ｐ１と前記第二の分岐点Ｐ２との間に第一の巻線Ｌ１、および当該第一の巻線Ｌ１と前記第二の分岐点Ｐ２との間に第二の巻線Ｌ２が設けられ、
前記第一の連絡導電線Ｂ１には、前記第一の巻線Ｌ１に電磁結合された第三の巻線Ｌ３、および当該第三の巻線Ｌ３と前記第一の分岐点Ｐ１との間に第一の逆相信号伝送手段Ｃ１が設けられ、
前記第二の連絡導電線Ｂ２には、前記第二の巻線Ｌ２に電磁結合された第四の巻線Ｌ４、および当該第四の巻線Ｌ４と前記第二の分岐点Ｐ２との間に第二の逆相信号伝送手段Ｃ２が設けられること
を特徴とするノイズ抑制回路。
【請求項２】
前記第一および第二の逆相信号伝送手段Ｃ１およびＣ２の少なくとも一つが、異なる信号伝達特性を有する複数のコンデンサを備え、除去すべきノイズに応じて使用するコンデンサを変更可能とされてなる
請求項１記載のノイズ抑制回路。
【請求項３】
前記第一の巻線Ｌ１と前記第三の巻線Ｌ３との巻数比、および前記第二の巻線Ｌ２と前記第四の巻線Ｌ４との巻数比の少なくとも一方が１：１である請求項１または２に記載のノイズ抑制回路。
【請求項４】
前記第一の導電線Ｅ１には、前記第一の巻線Ｌ１と前記第二の巻線Ｌ２との間に第五の分岐点Ｐ５、および当該第五の分岐点Ｐ５と第二の巻線Ｌ２との間に第六の分岐点Ｐ６が設けられ、
前記第二の導電線Ｅ２には、前記第一の装置Ｄ１と前記第三の分岐点Ｐ３との間に第七の分岐点Ｐ７、および前記第四の分岐点Ｐ４と前記第二の装置Ｄ２との間に第八の分岐点Ｐ８が設けられ、
前記第五の分岐点Ｐ５と前記第七の分岐点Ｐ７とは第三の連絡導電線Ｂ３で接続され、
前記第六の分岐点Ｐ６と前記第八の分岐点Ｐ８とは第四の連絡導電線Ｂ４で接続され、
第二の導電線Ｅ２には、前記第七の分岐点Ｐ７と第三の分岐点Ｐ３との間に第五の巻線Ｌ５、および前記第四の分岐点Ｐ４と前記第八の分岐点Ｐ８との間に第六の巻線Ｌ６が設けられ、
前記第三の連絡導電線Ｂ３には、前記第五の巻線Ｌ５に電磁結合された第七の巻線Ｌ７、および当該第七の巻線Ｌ７と前記第七の分岐点Ｐ７との間に第三の逆相信号伝送手段Ｃ３が設けられ、
前記第四の連絡導電線Ｂ４には、前記第六の巻線Ｌ６に電磁結合された第八の巻線Ｌ８、および当該第八の巻線Ｌ８と前記第八の分岐点Ｐ８との間に第四の逆相信号伝送手段Ｃ４が設けられること
を特徴とする請求項１記載のノイズ抑制回路。
【請求項５】
前記第一から第四の逆相信号伝送手段Ｃ１，Ｃ２，Ｃ３およびＣ４の少なくとも一つが、異なる信号伝達特性を有する複数のコンデンサを備え、除去すべきノイズに応じて使用するコンデンサを変更可能とされてなる
請求項４記載のノイズ抑制回路。
【請求項６】
前記第三および第四の逆相信号伝送手段Ｃ３およびＣ４は、それぞれ、前記第一および第二の逆相信号伝送手段Ｃ１およびＣ２と信号伝達特性が同一である
請求項４または５記載のノイズ抑制回路。
【請求項７】
前記第一の巻線Ｌ１と前記第三の巻線Ｌ３との巻数比、前記第二の巻線Ｌ２と前記第四の巻線Ｌ４との巻数比、前記第五の巻線Ｌ５と前記第七の巻線Ｌ７との巻数比、および前記第六の巻線Ｌ６と前記第八の巻線Ｌ８との巻数比の少なくとも一つが１：１である請求項４から６のいずれかに記載のノイズ抑制回路。
【請求項８】
前記第一の巻線Ｌ１と前記第五の巻線Ｌ５との巻数比および前記第二の巻線Ｌ２と前記第六の巻線Ｌ６との巻数比のすくなくとも一方が１：１である請求項４から７のいずれかに記載のノイズ抑制回路。
【請求項９】
前記第一の巻線Ｌ１と前記第三の巻線Ｌ３との巻数比が、前記第五の巻線Ｌ５と前記第七の巻線Ｌ７との巻数比と等しい請求項４から８のいずれかに記載のノイズ抑制回路。
【請求項１０】
前記第二の巻線Ｌ２と前記第四の巻線Ｌ４との巻数比が、前記第六の巻線Ｌ６と前記第八の巻線Ｌ８との巻数比と等しい請求項４から９のいずれかに記載のノイズ抑制回路。
【請求項１１】
信号を出力する第一の装置Ｄ１およびその信号が入力する複数の負荷装置を連絡する導電線を伝播するノイズを抑制するための回路であって、
当該複数の負荷装置のうち、前記第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により前記第一の装置Ｄ１に対して接続され、
前記第一の導電線Ｅ１は、第一の分岐点Ｐ１および当該第一の分岐点Ｐ１と第二の装置Ｄ２との間に設けられた第二の分岐点Ｐ２を有し、
前記第二の導電線Ｅ２は、第三の分岐点Ｐ３および当該第三の分岐点Ｐ３と第二の装置Ｄ２との間に設けられた第四の分岐点Ｐ４を有し、
前記第一の分岐点Ｐ１と前記第三の分岐点Ｐ３とは第一の連絡導電線Ｂ１で接続され、
前記第二の分岐点Ｐ２と前記第四の分岐点Ｐ４とは第二の連絡導電線Ｂ２で接続され、
前記第一の導電線Ｅ１には、前記第一の分岐点Ｐ１と前記第二の分岐点Ｐ２との間に第一の巻線Ｌ１、および当該第一の巻線Ｌ１と前記第二の分岐点Ｐ２との間に第二の巻線Ｌ２が設けられ、
前記第一の連絡導電線Ｂ１には、前記第一の巻線Ｌ１に電磁結合された第三の巻線Ｌ３、および当該第三の巻線Ｌ３と前記第一の分岐点Ｐ１との間に第一の逆相信号伝送手段Ｃ１が設けられ、
前記第二の連絡導電線Ｂ２には、前記第二の巻線Ｌ２に電磁結合された第四の巻線Ｌ４、および当該第四の巻線Ｌ４と前記第二の分岐点Ｐ２との間に第二の逆相信号伝送手段Ｃ２が設けられ、
前記第一の導電線Ｅ１には前記第一の装置Ｄ１と前記第一の分岐点Ｐ１との間に第一の付加分岐点Ｐ１０が前記第三の導電線Ｅ３の起点として設けられ、
第二の導電線Ｅ２には前記第一の装置Ｄ１と前記第三の分岐点Ｐ３との間に第二の付加分岐点Ｐ１１が前記第四の導電線Ｅ４の起点として設けられ、
前記第三の導電線Ｅ３は、別の第一の分岐点Ｐ１’および当該別の第一の分岐点Ｐ１’と前記第三の装置Ｄ３との間に設けられた別の第二の分岐点Ｐ２’を有し、
前記第四の導電線Ｅ４は、別の第三の分岐点Ｐ３’および当該別の第三の分岐点Ｐ３’と前記第三の装置Ｄ３との間に設けられた別の第四の分岐点Ｐ４’を有し、
前記別の第一の分岐点Ｐ１’と前記別の第三の分岐点Ｐ３’とは別の第一の連絡導電線Ｂ１’で接続され、
前記別の第二の分岐点Ｐ２’と前記別の第四の分岐点Ｐ４’とは別の第二の連絡導電線Ｂ２’で接続され、
前記第三の導電線Ｅ３には、前記別の第一の分岐点Ｐ１’と前記別の第二の分岐点Ｐ２’との間に別の第一の巻線Ｌ１’、および当該別の第一の巻線Ｌ１’と前記別の第二の分岐点Ｐ２’との間に別の第二の巻線Ｌ２’が設けられ、
前記別の第一の連絡導電線Ｂ１’には、前記別の第一の巻線Ｌ１’に電磁結合された別の第三の巻線Ｌ３’、および当該別の第三の巻線Ｌ３’と前記別の第一の分岐点Ｐ１’との間に別の第一の逆相信号伝送手段Ｃ１’が設けられ、
前記別の第二の連絡導電線Ｂ２’には、前記別の第二の巻線Ｌ２’に電磁結合された別の第四の巻線Ｌ４’、および当該別の第四の巻線Ｌ４’と前記別の第二の分岐点Ｐ２’との間に別の第二の逆相信号伝送手段Ｃ２’が設けられること
を特徴とするノイズ抑制回路。
【請求項１２】
前記第一および第二の逆相信号伝送手段Ｃ１およびＣ２、ならびに前記別の第一および別の第二の逆相信号伝送手段Ｃ１’およびＣ２’の少なくとも一つが、異なる信号伝達特性を有する複数のコンデンサを備え、除去すべきノイズに応じて使用するコンデンサを変更可能とされてなる
請求項１１記載のノイズ抑制回路。
【請求項１３】
前記第一の巻線Ｌ１と前記第三の巻線Ｌ３との巻数比、および前記第二の巻線Ｌ２と前記第四の巻線Ｌ４との巻数比、ならびに前記別の第一の巻線Ｌ１’と前記別の第三の巻線Ｌ３’との巻数比、および前記別の第二の巻線Ｌ２’と前記別の第四の巻線Ｌ４’との巻数比の少なくとも一つが１：１である請求項１１または１２に記載のノイズ抑制回路。
【請求項１４】
信号を出力する第一の装置Ｄ１およびその信号が入力する複数の負荷装置を連絡する導電線を伝播するノイズを抑制するための回路であって、
当該複数の負荷装置のうち、前記第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により前記第一の装置Ｄ１に対して接続され、
前記第一の導電線Ｅ１は、第一の分岐点Ｐ１および当該第一の分岐点Ｐ１と第二の装置Ｄ２との間に設けられた第二の分岐点Ｐ２を有し、
前記第二の導電線Ｅ２は、第三の分岐点Ｐ３および当該第三の分岐点Ｐ３と第二の装置Ｄ２との間に設けられた第四の分岐点Ｐ４を有し、
前記第一の分岐点Ｐ１と前記第三の分岐点Ｐ３とは第一の連絡導電線Ｂ１で接続され、
前記第二の分岐点Ｐ２と前記第四の分岐点Ｐ４とは第二の連絡導電線Ｂ２で接続され、
前記第一の導電線Ｅ１には、前記第一の分岐点Ｐ１と前記第二の分岐点Ｐ２との間に第一の巻線Ｌ１、および当該第一の巻線Ｌ１と前記第二の分岐点Ｐ２との間に第二の巻線Ｌ２が設けられ、
前記第一の連絡導電線Ｂ１には、前記第一の巻線Ｌ１に電磁結合された第三の巻線Ｌ３、および当該第三の巻線Ｌ３と前記第一の分岐点Ｐ１との間に第一の逆相信号伝送手段Ｃ１が設けられ、
前記第二の連絡導電線Ｂ２には、前記第二の巻線Ｌ２に電磁結合された第四の巻線Ｌ４、および当該第四の巻線Ｌ４と前記第二の分岐点Ｐ２との間に第二の逆相信号伝送手段Ｃ２が設けられ、
前記第一の導電線Ｅ１には前記第一の巻線Ｌ１と前記第二の巻線Ｌ２との間に第一の付加分岐点Ｐ１０が前記第三の導電線Ｅ３の起点として設けられ、
第二の導電線Ｅ２には第三の分岐点Ｐ３と第四の分岐点Ｐ４との間に第二の付加分岐点Ｐ１１が前記第四の導電線Ｅ４の起点として設けられ、
前記第三の導電線Ｅ３に設けられた別の第二の分岐点Ｐ２’と前記第四の導電線Ｅ４に設けられた別の第四の分岐点Ｐ４’とは別の第二の連絡導電線Ｂ２’で接続され、
前記第三の導電線Ｅ３には、前記第一の付加分岐点Ｐ１０と前記別の第二の分岐点Ｐ２’との間に別の第二の巻線Ｌ２’が設けられ、
前記別の第二の連絡導電線Ｂ２’には、前記別の第二の巻線Ｌ２’に電磁結合された別の第四の巻線Ｌ４’、および当該別の第四の巻線Ｌ４’と前記別の第二の分岐点Ｐ２’との間に別の第二の逆相信号伝送手段Ｃ２’が設けられること
を特徴とするノイズ抑制回路。
【請求項１５】
前記第一および第二の逆相信号伝送手段Ｃ１およびＣ２、ならびに前記別の第二の逆相信号伝送手段Ｃ２’の少なくとも一つが、異なる信号伝達特性を有する複数のコンデンサを備え、除去すべきノイズに応じて使用するコンデンサを変更可能とされてなる
請求項１４記載のノイズ抑制回路。
【請求項１６】
前記第一の巻線Ｌ１と前記第三の巻線Ｌ３との巻数比、および前記第二の巻線Ｌ２と前記第四の巻線Ｌ４との巻数比、ならびに前記別の第二の巻線Ｌ２’と前記別の第四の巻線Ｌ４’との巻数比の少なくとも一つが１：１である請求項１４または１５に記載のノイズ抑制回路。
【請求項１７】
信号を出力する第一の装置Ｄ１およびその信号が入力する複数の負荷装置を連絡する導電線を伝播するノイズを抑制するための回路であって、
当該複数の負荷装置のうち、前記第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により前記第一の装置Ｄ１に対して接続され、
前記第一の導電線Ｅ１は、第一の分岐点Ｐ１および当該第一の分岐点Ｐ１と第二の装置Ｄ２との間に設けられた第二の分岐点Ｐ２を有し、
前記第二の導電線Ｅ２は、第三の分岐点Ｐ３および当該第三の分岐点Ｐ３と第二の装置Ｄ２との間に設けられた第四の分岐点Ｐ４を有し、
前記第一の分岐点Ｐ１と前記第三の分岐点Ｐ３とは第一の連絡導電線Ｂ１で接続され、
前記第二の分岐点Ｐ２と前記第四の分岐点Ｐ４とは第二の連絡導電線Ｂ２で接続され、
前記第一の導電線Ｅ１には、前記第一の分岐点Ｐ１と前記第二の分岐点Ｐ２との間に第一の巻線Ｌ１、および当該第一の巻線Ｌ１と前記第二の分岐点Ｐ２との間に第二の巻線Ｌ２が設けられ、
前記第一の連絡導電線Ｂ１には、前記第一の巻線Ｌ１に電磁結合された第三の巻線Ｌ３、および当該第三の巻線Ｌ３と前記第一の分岐点Ｐ１との間に第一の逆相信号伝送手段Ｃ１が設けられ、
前記第二の連絡導電線Ｂ２には、前記第二の巻線Ｌ２に電磁結合された第四の巻線Ｌ４、および当該第四の巻線Ｌ４と前記第二の分岐点Ｐ２との間に第二の逆相信号伝送手段Ｃ２が設けられ、
前記第一の導電線Ｅ１には前記第一の巻線Ｌ１と前記第二の巻線Ｌ２との間に第一の付加分岐点Ｐ１０が前記第三の導電線Ｅ３の起点として設けられ、
第二の導電線Ｅ２には第三の分岐点Ｐ３と第四の分岐点Ｐ４との間に第二の付加分岐点Ｐ１１が前記第四の導電線Ｅ４の起点として設けられること
を特徴とするノイズ抑制回路。
【請求項１８】
前記第一および第二の逆相信号伝送手段Ｃ１およびＣ２の少なくとも一つが、異なる信号伝達特性を有する複数のコンデンサを備え、除去すべきノイズに応じて使用するコンデンサを変更可能とされてなる
請求項１７記載のノイズ抑制回路。
【請求項１９】
前記第一の巻線Ｌ１と前記第三の巻線Ｌ３との巻数比、および前記第二の巻線Ｌ２と前記第四の巻線Ｌ４との巻数比の少なくとも一方が１：１である請求項１７または１８に記載のノイズ抑制回路。
【請求項２０】
請求項１から１９のいずれかに記載されるノイズ抑制回路における、信号を出力する装置およびその信号が入力する装置の少なくとも一つに代えて、その装置に接続可能な端子が接続されてなるノイズ抑制回路。
【請求項２１】
前記信号を出力する装置からの信号が入力する装置が複数個ある場合の回路であって、当該複数の装置に接続されるための複数の端子を備え、各端子への信号の供給の開始および停止の少なくとも一方のタイミングを個別に制御可能なタイミング制御回路を有する請求項２０記載のノイズ抑制回路。
【発明の詳細な説明】
【技術分野】
【０００１】
本発明は、導電線上を伝播するノイズを抑制するための回路に関する。
【背景技術】
【０００２】
電気回路においてノイズ対策は最も根源的な問題の一つである。ノイズはその電気回路において必要とされない信号成分の総称であり、具体的には、電源などの信号出力源からの信号に含まれるそれぞれの信号成分の高、低調波信号、他の機器から誘導される信号、電気機械から発生するいわゆるスパークノイズ、都市雑音（車、ネオンサインなど都市で発生する雑音）、宇宙雑音（雷、コロナ）などが例示される。
【０００３】
こうしたノイズを抑制する手段の一つとして、次のような手段が特許文献に開示されている。
特許文献１は、交流電源と負荷との間に、電源波形を整形する手段として直列変圧器の２次巻線を直列に接続し、フィルター回路の入力側を交流電源に接続し、フィルター回路の出力側を直列変圧器の１次巻線に接続して、成るラインフィルターを開示する。
【０００４】
特許文献２は、導電線上を伝搬するノイズを抑制するノイズ抑制回路であって、所定の第１の位置において導電線に挿入された第１の巻線と、第１の巻線に結合された第２の巻線と、導電線における第１の位置とは異なる第２の位置と第２の巻線とを導電線とは異なる経路で接続し、導電線より検出されるノイズに対応した信号に基づいて生成されノイズを抑制するために導電線に注入される注入信号を伝送する注入信号伝送路と、注入信号伝送路に挿入され、注入信号を通過させるキャパシタとを備え、第２の巻線の巻数は、第１の巻線の巻数よりも多いことを特徴とするノイズ抑制回路を開示する。
【先行技術文献】
【特許文献】
【０００５】
【特許文献１】特開平９−１０２７２３
【特許文献２】特開２００４−３５６９１８
【発明の開示】
【発明が解決しようとする課題】
【０００６】
これらの文献に開示されるノイズ抑制手段には次のような問題があり、更なるノイズ抑制手段の開発が求められている。
まず、これらの文献に開示されるノイズ抑制手段は、信号出力源から生じたノイズを打ち消すような位相を有する信号を、ノイズが伝播する導電線に挿入された巻線とコンデンサなどの位相を変化させる素子とを用いて発生させることを基本的な技術的思想としている。
【０００７】
そのような従来技術に係るノイズ抑制回路を図３に示す。
図３に示されるノイズ抑制回路は、信号を出力する第一の装置Ｄ１（すなわち信号出力源）およびその信号が入力する第二の装置Ｄ２（すなわち負荷装置）との間に設けられた第一および第二の導電線Ｅ１，Ｅ２を伝播するノイズを抑制するための回路であって、第一の導電線Ｅ１は、第一の分岐点Ｐ１を有し、第二の導電線Ｅ２は、第三の分岐点Ｐ３を有している。第一の分岐点Ｐ１と第三の分岐点Ｐ３とは第一の連絡導電線Ｂ１で接続され、第一の導電線Ｅ１には、第一の分岐点Ｐ１と第二の装置Ｄ２（負荷装置）との間に第一の巻線Ｌ１が設けられている。第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられている。
【０００８】
第一の装置Ｄ１からのノイズが第一の導電線Ｅ１を伝播すると、電磁結合する第一の巻線Ｌ１および第三の巻線Ｌ３によって、このノイズに対応する信号が第三の巻線Ｌ３において形成される。この信号は第一の逆送信号伝送手段Ｃ１によって位相が反転されて第一の導電線Ｅ１へと伝播する。この逆送信号によって第一の装置Ｄ１からのノイズは強度が低下、好ましくは消滅する。
【０００９】
しかしながら、現実には信号出力源（第一の装置Ｄ１）からの信号が入力する負荷装置（第二の装置Ｄ２）側からもノイズが発生する場合があるところ、図３に示される回路では、このような負荷装置（第二の装置Ｄ２）から発生するノイズに対応した信号を発生させることは回路構成上不可能であった。このため、このようなノイズは、導電線を伝播して信号出力源（第一の装置Ｄ１）に到達し、これを経由して再度負荷装置（第二の装置Ｄ２）に入力したり、信号出力源（第一の装置Ｄ１）を共有する他の負荷装置に入力したりすることがあった。
【００１０】
ここで、図３に示されるノイズ抑制回路における逆送信号伝送手段Ｃ１とは実質的にコンデンサであり、このコンデンサの特性（種類、容量）および回路全体の特性に基づき、ノイズ抑制回路におけるノイズ抑制機能には周波数特性、たとえば共振周波数近傍におけるノイズ抑制機能の低下が必然的に発生する。このため、通常は、上記のノイズ抑制原理に基づき、第一の装置Ｄ１が発生するノイズ、例えば第一の装置Ｄ１（信号出力源）が発生する信号の高周波または低周波成分を適切に抑制することが可能なコンデンサが逆送信号伝送手段Ｃ１として選択されて、ノイズ抑制回路が構成されている。
【００１１】
このような回路構成であるため、図３に示されるノイズ抑制回路における信号出力源を共有する他の負荷装置が接続されている場合であって、その負荷装置に由来するノイズの周波数特性が信号出力源に直接的に由来するノイズの周波数特性と異なるときには、そのノイズが信号出力源を経由して回路内に伝播すると、図３に示される構成のノイズ抑制回路ではそのノイズに対応した適切な逆送信号を形成することが原理的にできない。このため、ノイズ抑制回路が設けられていながら、ノイズは負荷装置に入力してしまうことになる。
【００１２】
このような問題は、負荷装置が画像信号出力手段であったり、音響信号出力手段であったりする場合には特に重要であり、画像の乱れや音質の低下などをもたらしていた。また、負荷装置がデジタル回路である場合には、ノイズが制御信号として作用し、その装置の誤動作を引き起こすこともあった。
【００１３】
本発明は、かかる問題を解決するための手段を提供することを目的としている。具体的には、信号出力源のみならず負荷装置からのノイズを効率的に除去し、結果として負荷装置に伝播するノイズを特に低減する手段を提供することを目的とする。
【課題を解決するための手段】
【００１４】
上記課題を解決するために提供される本発明は次のとおりである。
（１）信号を出力する第一の装置Ｄ１およびその信号が入力する第二の装置Ｄ２との間に設けられた第一および第二の導電線Ｅ１，Ｅ２を伝播するノイズを抑制するための回路であって、第一の導電線Ｅ１は、第一の分岐点Ｐ１およびこの第一の分岐点Ｐ１と第二の装置Ｄ２との間に設けられた第二の分岐点Ｐ２を有し、第二の導電線Ｅ２は、第三の分岐点Ｐ３およびこの第三の分岐点Ｐ３と第二の装置Ｄ２との間に設けられた第四の分岐点Ｐ４を有し、第一の分岐点Ｐ１と第三の分岐点Ｐ３とは第一の連絡導電線Ｂ１で接続され、第二の分岐点Ｐ２と第四の分岐点Ｐ４とは第二の連絡導電線Ｂ２で接続され、第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられ、第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられ、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられることを特徴とするノイズ抑制回路。
【００１５】
（２）第一および第二の逆相信号伝送手段Ｃ１およびＣ２の少なくとも一つが、異なる信号伝達特性を有する複数のコンデンサを備え、除去すべきノイズに応じて使用するコンデンサを変更可能とされてなる上記（１）記載のノイズ抑制回路。
【００１６】
（３）第一の巻線Ｌ１と第三の巻線Ｌ３との巻数比、および第二の巻線Ｌ２と第四の巻線Ｌ４との巻数比の少なくとも一方が１：１である上記（１）または（２）に記載のノイズ抑制回路。
【００１７】
（４）第一の導電線Ｅ１には、第一の巻線Ｌ１と第二の巻線Ｌ２との間に第五の分岐点Ｐ５、およびこの第五の分岐点Ｐ５と第二の巻線Ｌ２との間に第六の分岐点Ｐ６が設けられ、第二の導電線Ｅ２には、第一の装置Ｄ１と第三の分岐点Ｐ３との間に第七の分岐点Ｐ７、および第四の分岐点Ｐ４と第二の装置Ｄ２との間に第八の分岐点Ｐ８が設けられ、第五の分岐点Ｐ５と第七の分岐点Ｐ７とは第三の連絡導電線Ｂ３で接続され、第六の分岐点Ｐ６と第八の分岐点Ｐ８とは第四の連絡導電線Ｂ４で接続され、第二の導電線Ｅ２には、第七の分岐点Ｐ７と第三の分岐点Ｐ３との間に第五の巻線Ｌ５、および第四の分岐点Ｐ４と第八の分岐点Ｐ８との間に第六の巻線Ｌ６が設けられ、第三の連絡導電線Ｂ３には、第五の巻線Ｌ５に電磁結合された第七の巻線Ｌ７、およびこの第七の巻線Ｌ７と第七の分岐点Ｐ７との間に第三の逆相信号伝送手段Ｃ３が設けられ、第四の連絡導電線Ｂ４には、第六の巻線Ｌ６に電磁結合された第八の巻線Ｌ８、およびこの第八の巻線Ｌ８と第八の分岐点Ｐ８との間に第四の逆相信号伝送手段Ｃ４が設けられることを特徴とする上記（１）記載のノイズ抑制回路。
【００１８】
（５）第一から第四の逆相信号伝送手段Ｃ１，Ｃ２，Ｃ３およびＣ４の少なくとも一つが、異なる信号伝達特性を有する複数のコンデンサを備え、除去すべきノイズに応じて使用するコンデンサを変更可能とされてなる上記（４）記載のノイズ抑制回路。
【００１９】
（６）第三および第四の逆相信号伝送手段Ｃ３およびＣ４は、それぞれ、第一および第二の逆相信号伝送手段Ｃ１およびＣ２と信号伝達特性が同一である上記（４）または（５）記載のノイズ抑制回路。
【００２０】
（７）第一の巻線Ｌ１と第三の巻線Ｌ３との巻数比、第二の巻線Ｌ２と第四の巻線Ｌ４との巻数比、第五の巻線Ｌ５と第七の巻線Ｌ７との巻数比、および第六の巻線Ｌ６と第八の巻線Ｌ８との巻数比の少なくとも一つが１：１である上記（４）から（６）のいずれかに記載のノイズ抑制回路。
【００２１】
（８）第一の巻線Ｌ１と第五の巻線Ｌ５との巻数比および第二の巻線Ｌ２と第六の巻線Ｌ６との巻数比のすくなくとも一方が１：１である上記（４）から（７）のいずれかに記載のノイズ抑制回路。
【００２２】
（９）第一の巻線Ｌ１と第三の巻線Ｌ３との巻数比が、第五の巻線Ｌ５と第七の巻線Ｌ７との巻数比と等しい上記（４）から（８）のいずれかに記載のノイズ抑制回路。
【００２３】
（１０）第二の巻線Ｌ２と第四の巻線Ｌ４との巻数比が、第六の巻線Ｌ６と第八の巻線Ｌ８との巻数比と等しい上記（４）から（９）のいずれかに記載のノイズ抑制回路。
【００２４】
（１１）信号を出力する第一の装置Ｄ１およびその信号が入力する複数の負荷装置を連絡する導電線を伝播するノイズを抑制するための回路であって、これらの複数の負荷装置のうち、第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により第一の装置Ｄ１に対して接続され、第一の導電線Ｅ１は、第一の分岐点Ｐ１およびこの第一の分岐点Ｐ１と第二の装置Ｄ２との間に設けられた第二の分岐点Ｐ２を有し、第二の導電線Ｅ２は、第三の分岐点Ｐ３およびこの第三の分岐点Ｐ３と第二の装置Ｄ２との間に設けられた第四の分岐点Ｐ４を有し、第一の分岐点Ｐ１と第三の分岐点Ｐ３とは第一の連絡導電線Ｂ１で接続され、第二の分岐点Ｐ２と第四の分岐点Ｐ４とは第二の連絡導電線Ｂ２で接続され、第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられ、第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられ、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられ、第一の導電線Ｅ１には第一の装置Ｄ１と第一の分岐点Ｐ１との間に第一の付加分岐点Ｐ１０が第三の導電線Ｅ３の起点として設けられ、第二の導電線Ｅ２には第一の装置Ｄ１と第三の分岐点Ｐ３との間に第二の付加分岐点Ｐ１１が第四の導電線Ｅ４の起点として設けられ、第三の導電線Ｅ３は、別の第一の分岐点Ｐ１’およびこの別の第一の分岐点Ｐ１’と第三の装置Ｄ３との間に設けられた別の第二の分岐点Ｐ２’を有し、第四の導電線Ｅ４は、別の第三の分岐点Ｐ３’およびこの別の第三の分岐点Ｐ３’と第三の装置Ｄ３との間に設けられた別の第四の分岐点Ｐ４’を有し、別の第一の分岐点Ｐ１’と別の第三の分岐点Ｐ３’とは別の第一の連絡導電線Ｂ１’で接続され、別の第二の分岐点Ｐ２’と別の第四の分岐点Ｐ４’とは別の第二の連絡導電線Ｂ２’で接続され、第三の導電線Ｅ３には、別の第一の分岐点Ｐ１’と別の第二の分岐点Ｐ２’との間に別の第一の巻線Ｌ１’、およびこの別の第一の巻線Ｌ１’と別の第二の分岐点Ｐ２’との間に別の第二の巻線Ｌ２’が設けられ、別の第一の連絡導電線Ｂ１’には、別の第一の巻線Ｌ１’に電磁結合された別の第三の巻線Ｌ３’、およびこの別の第三の巻線Ｌ３’と別の第一の分岐点Ｐ１’との間に別の第一の逆相信号伝送手段Ｃ１’が設けられ、別の第二の連絡導電線Ｂ２’には、別の第二の巻線Ｌ２’に電磁結合された別の第四の巻線Ｌ４’、およびこの別の第四の巻線Ｌ４’と別の第二の分岐点Ｐ２’との間に別の第二の逆相信号伝送手段Ｃ２’が設けられることを特徴とするノイズ抑制回路。
【００２５】
（１２）第一および第二の逆相信号伝送手段Ｃ１およびＣ２、ならびに別の第一および別の第二の逆相信号伝送手段Ｃ１’およびＣ２’の少なくとも一つが、異なる信号伝達特性を有する複数のコンデンサを備え、除去すべきノイズに応じて使用するコンデンサを変更可能とされてなる上記（１１）記載のノイズ抑制回路。
【００２６】
（１３）第一の巻線Ｌ１と第三の巻線Ｌ３との巻数比、および第二の巻線Ｌ２と第四の巻線Ｌ４との巻数比、ならびに別の第一の巻線Ｌ１’と別の第三の巻線Ｌ３’との巻数比、および別の第二の巻線Ｌ２’と別の第四の巻線Ｌ４’との巻数比の少なくとも一つが１：１である上記（１１）または（１２）に記載のノイズ抑制回路。
【００２７】
（１４）信号を出力する第一の装置Ｄ１およびその信号が入力する複数の負荷装置を連絡する導電線を伝播するノイズを抑制するための回路であって、これらの複数の負荷装置のうち、第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により第一の装置Ｄ１に対して接続され、第一の導電線Ｅ１は、第一の分岐点Ｐ１およびこの第一の分岐点Ｐ１と第二の装置Ｄ２との間に設けられた第二の分岐点Ｐ２を有し、第二の導電線Ｅ２は、第三の分岐点Ｐ３およびこの第三の分岐点Ｐ３と第二の装置Ｄ２との間に設けられた第四の分岐点Ｐ４を有し、第一の分岐点Ｐ１と第三の分岐点Ｐ３とは第一の連絡導電線Ｂ１で接続され、第二の分岐点Ｐ２と第四の分岐点Ｐ４とは第二の連絡導電線Ｂ２で接続され、第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられ、第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられ、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられ、第一の導電線Ｅ１には第一の巻線Ｌ１と第二の巻線Ｌ２との間に第一の付加分岐点Ｐ１０が第三の導電線Ｅ３の起点として設けられ、第二の導電線Ｅ２には第三の分岐点Ｐ３と第四の分岐点Ｐ４との間に第二の付加分岐点Ｐ１１が第四の導電線Ｅ４の起点として設けられ、第三の導電線Ｅ３に設けられた別の第二の分岐点Ｐ２’と第四の導電線Ｅ４に設けられた別の第四の分岐点Ｐ４’とは別の第二の連絡導電線Ｂ２’で接続され、第三の導電線Ｅ３には、第一の付加分岐点Ｐ１０と別の第二の分岐点Ｐ２’との間に別の第二の巻線Ｌ２’が設けられ、別の第二の連絡導電線Ｂ２’には、別の第二の巻線Ｌ２’に電磁結合された別の第四の巻線Ｌ４’、およびこの別の第四の巻線Ｌ４’と別の第二の分岐点Ｐ２’との間に別の第二の逆相信号伝送手段Ｃ２’が設けられることを特徴とするノイズ抑制回路。
【００２８】
（１５）第一および第二の逆相信号伝送手段Ｃ１およびＣ２、ならびに別の第二の逆相信号伝送手段Ｃ２’の少なくとも一つが、異なる信号伝達特性を有する複数のコンデンサを備え、除去すべきノイズに応じて使用するコンデンサを変更可能とされてなる上記（１４）記載のノイズ抑制回路。
【００２９】
（１６）第一の巻線Ｌ１と第三の巻線Ｌ３との巻数比、および第二の巻線Ｌ２と第四の巻線Ｌ４との巻数比、ならびに別の第二の巻線Ｌ２’と別の第四の巻線Ｌ４’との巻数比の少なくとも一つが１：１である上記（１４）または（１５）に記載のノイズ抑制回路。
【００３０】
（１７）信号を出力する第一の装置Ｄ１およびその信号が入力する複数の負荷装置を連絡する導電線を伝播するノイズを抑制するための回路であって、複数の負荷装置のうち、第一の装置Ｄ１に対して互いに並列に接続される二つの負荷装置である第二の装置Ｄ２および第三の装置Ｄ３は、それぞれ、第一の導電線Ｅ１および第二の導電線Ｅ２、ならびに第三の導電線Ｅ３および第四の導電線Ｅ４により第一の装置Ｄ１に対して接続され、第一の導電線Ｅ１は、第一の分岐点Ｐ１およびこの第一の分岐点Ｐ１と第二の装置Ｄ２との間に設けられた第二の分岐点Ｐ２を有し、第二の導電線Ｅ２は、第三の分岐点Ｐ３およびこの第三の分岐点Ｐ３と第二の装置Ｄ２との間に設けられた第四の分岐点Ｐ４を有し、第一の分岐点Ｐ１と第三の分岐点Ｐ３とは第一の連絡導電線Ｂ１で接続され、第二の分岐点Ｐ２と第四の分岐点Ｐ４とは第二の連絡導電線Ｂ２で接続され、第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられ、第一の連絡導電線Ｂ１には、第一の巻線Ｌ１に電磁結合された第三の巻線Ｌ３、およびこの第三の巻線Ｌ３と第一の分岐点Ｐ１との間に第一の逆相信号伝送手段Ｃ１が設けられ、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられ、第一の導電線Ｅ１には第一の巻線Ｌ１と第二の巻線Ｌ２との間に第一の付加分岐点Ｐ１０が第三の導電線Ｅ３の起点として設けられ、第二の導電線Ｅ２には第三の分岐点Ｐ３と第四の分岐点Ｐ４との間に第二の付加分岐点Ｐ１１が第四の導電線Ｅ４の起点として設けられることを特徴とするノイズ抑制回路。
【００３１】
（１８）第一および第二の逆相信号伝送手段Ｃ１およびＣ２の少なくとも一つが、異なる信号伝達特性を有する複数のコンデンサを備え、除去すべきノイズに応じて使用するコンデンサを変更可能とされてなる上記（１７）記載のノイズ抑制回路。
【００３２】
（１９）第一の巻線Ｌ１と第三の巻線Ｌ３との巻数比、および第二の巻線Ｌ２と第四の巻線Ｌ４との巻数比の少なくとも一方が１：１である上記（１７）または（１８）に記載のノイズ抑制回路。
【００３３】
（２０）上記（１）から（１９）のいずれかに記載されるノイズ抑制回路における、信号を出力する装置およびその信号が入力する装置の少なくとも一つに代えて、その装置に接続可能な端子が接続されてなるノイズ抑制回路。
【００３４】
（２１）信号を出力する装置からの信号が入力する装置が複数個ある場合の回路であって、これらの複数の装置に接続されるための複数の端子を備え、各端子への信号の供給の開始および停止の少なくとも一方のタイミングを個別に制御可能なタイミング制御回路を有する上記（２０）記載のノイズ抑制回路。
【発明の効果】
【００３５】
本発明に係るノイズ抑制手段は、信号出力源のみならず負荷装置からのノイズを効率的に除去することができ、信号出力源と負荷装置とをつなぐ導電線における二つの巻き線の間における領域は、実質的にノイズフリーとなり、優れた信号伝達特性が実現される。このため、画像信号出力手段（画像出力装置のドライバ）や音響信号出力手段（アンプ）などノイズ抑制に対する要求が特に厳しい用途に本発明に係るノイズ抑制手段を適用すれば、優れた画質の画像や優れた音質の音を出力することが可能となる。
【図面の簡単な説明】
【００３６】
【図１】本発明に係るノイズ抑制回路の第一の実施形態の一例を示す回路図である。
【図２】図１に示されるノイズ抑制回路における損失の周波数特性を示す特性図である。
【図３】従来技術に係るノイズ抑制回路の一例を示す回路図である。
【図４】図１に示されるノイズ抑制回路から、第一の分岐点Ｐ１、第三の分岐点Ｐ３、第一の連絡導電線Ｂ１、第一の巻線Ｌ１、第三の巻線Ｌ３、および第一の逆相信号伝送手段Ｃ１が除去されたノイズ抑制回路を示す回路図である。
【図５】本発明に係るノイズ抑制回路の第一の実施形態における別の一例を示す回路図である。
【図６】図５に示されるノイズ抑制回路における損失の周波数特性を示す特性図である。
【図７】本発明に係るノイズ抑制回路の第一の実施形態における変形例を示す回路図である。
【図８】図７に示されるノイズ抑制回路における損失の周波数特性を示す特性図である。
【図９】本発明に係るノイズ抑制回路における第二の実施形態の一例を示す回路図である。
【図１０】本発明に係るノイズ抑制回路における第二の実施形態の別の一例を示す回路図である。
【図１１】本発明に係るノイズ抑制回路における第二の実施形態の他の一例を示す回路図である。
【発明を実施するための形態】
【００３７】
以下、本発明に係る実施の形態を、図面を参照しつつ説明する。
図１は、本発明に係るノイズ抑制回路の第一の実施形態の一例を示す回路図である。
図１に示される回路は、信号を出力する第一の装置Ｄ１（信号出力源）およびその信号が入力する第二の装置Ｄ２（負荷装置）との間に設けられた第一および第二の導電線Ｅ１，Ｅ２を伝播するノイズを抑制するための回路であって、第一の導電線Ｅ１は、第一の分岐点Ｐ１およびこの第一の分岐点Ｐ１と第二の装置Ｄ２との間に設けられた第二の分岐点Ｐ２を有する。通常は、これらの導電線を経由して、第一の装置Ｄ１（信号出力源）から第二の装置Ｄ２（負荷装置）へと信号が伝播する。ここで、「信号」とは、第一の装置Ｄ１が本来の目的を達するために出力する信号のみならず、第一の装置Ｄ１を発生源とするノーマルモードのノイズや、第一の装置Ｄ１に入力される信号に含まれる雑音成分がそのまま第一の装置を通過してノイズとなって第一の導電線Ｅ１に伝播されるものも含む。
【００３８】
第二の導電線Ｅ２は、第三の分岐点Ｐ３およびこの第三の分岐点Ｐ３と第二の装置Ｄ２との間に設けられた第四の分岐点Ｐ４を有する。第一の分岐点Ｐ１と第三の分岐点Ｐ３とは第一の連絡導電線Ｂ１で接続され、第二の分岐点Ｐ２と第四の分岐点Ｐ４とは第二の連絡導電線Ｂ２で接続される。
【００３９】
第一の導電線Ｅ１には、第一の分岐点Ｐ１と第二の分岐点Ｐ２との間に第一の巻線Ｌ１、およびこの第一の巻線Ｌ１と第二の分岐点Ｐ２との間に第二の巻線Ｌ２が設けられている。これらの巻線の自己インダクタンスは特に限定されず、用途に合わせて適宜設定すればよい。ただし、自己インダクタンスが過度に低い場合には第一の導電線Ｅ１を伝播するノイズを打ち消すための信号が発生しにくくなり、過度に大きい場合には装置が大型化して用途によっては不都合を生じることもある。
【００４０】
上記の第一の巻線Ｌ１に対応する巻線として、第一の連絡導電線Ｂ１には第一の巻線Ｌ１に電磁結合された第三の巻線Ｌ３が設けられている。ここで、「電磁結合された」とは、一方の巻線に電気信号が流れたときに、その信号により発生する誘導磁界によって、他方の巻線にその電気信号と実質的に同一の周波数特性を有する電気信号が発生可能とされていることをいう。本発明は、第一の導電線Ｅ１を伝播するノーマルモードノイズに対応する信号を第一の連絡導電線Ｂ１に発生させ、その信号を用いてノーマルモードノイズを打ち消すため、第一の巻線Ｌ１と第三の巻線Ｌ３との巻数比（第一の巻線Ｌ１の巻数：第三の巻線Ｌ３の巻数）は、１：１であることが理想的であり、０．７：１〜１：０．７の範囲であることが実用的である。
【００４１】
なお、電磁結合された一対の巻線は、通常、一つの電気部品（例えばトロイダルトランス）として市場に提供されているため、これを入手すれば、巻数比が規定された回路を構成することが容易に実現可能である。
【００４２】
さらに、第一の連絡導電線Ｂ１には、第三の巻線Ｌ３と第一の分岐点Ｐ１との間に第一の逆相信号伝送手段Ｃ１が設けられている。この逆送信号伝送手段とは、信号の位相を反転させる手段をいい、最も簡単にはコンデンサ（キャパシタ）である。その容量は特に限定されず、第一の導電線Ｅ１を伝播するノーマルモードノイズを打ち消す信号を生成させる観点で、このコンデンサと第三の巻線Ｌ３とにより形成されるインピーダンスが最適になるように適宜設定すればよい。
【００４３】
ただし、コンデンサには周波数特性があり、第一の導電線Ｅ１に伝播するノイズを十分に通過させる周波数帯域を持つコンデンサ容量を選ばなければならない。このため、第一の装置Ｄ１（信号出力源）からのノーマルモードノイズが一定であれば、そのノイズの信号特性に合わせて最適な周波数特性を有するコンデンサを選択して第一の逆相信号伝送手段Ｃ１とすればよいが、第一の装置Ｄ１（信号出力源）からのノーマルモードノイズの態様を特定することが困難であったり、この回路系に電気的に接続される他の回路系からもノーマルモードのノイズが侵入することが予想されたりする場合には、単一のコンデンサでは適切なノイズ抑制を実現できないときもある。
【００４４】
そこで、第一の逆相信号伝送手段Ｃ１が複数種類のコンデンサを有し、これらが並列に配置され、接続するコンデンサを選択可能な構成とすれば、除去すべきノイズに応じて使用するコンデンサの種類や容量を変更することが可能となり、様々な種類のノイズを効率的に抑制することが実現される。そのような構成を有するノイズ抑制回路の一例を図７に示した。
【００４５】
なお、コンデンサの種類は特に限定されず、電解コンデンサ、セラミックコンデンサ、マイラーコンデンサ、積層コンデンサ、タンタルコンデンサ、電気二重層コンデンサなど任意のコンデンサを、使用する回路に応じて適宜選択すればよい。
【００４６】
一方、第二の連絡導電線Ｂ２には、第二の巻線Ｌ２に電磁結合された第四の巻線Ｌ４、およびこの第四の巻線Ｌ４と第二の分岐点Ｐ２との間に第二の逆相信号伝送手段Ｃ２が設けられている。
【００４７】
第一の巻線Ｌ１と第三の巻線Ｌ３との巻数比の場合と同様に、第二の巻線Ｌ２と第四の巻線Ｌ４との巻数比（第一の巻線Ｌ１の巻数：第三の巻線Ｌ３の巻数）は、０．７：１〜１：０．７の範囲であることが実用的であって、１：１であることが好ましい。
【００４８】
第二の逆相信号伝送手段Ｃ２を構成するコンデンサの特性は、第二の装置Ｄ２（負荷装置）から発生するノイズの信号特性に応じて適宜設定すればよく、第一の逆相信号伝送手段Ｃ１を構成するコンデンサの特性と同一である必要はない。また、第二の逆相信号伝送手段Ｃ２は、第二の装置Ｄ２（負荷装置）から発生するノーマルモードノイズの信号特性に応じて複数のコンデンサを切り替えることが可能な構成となっていてもよい（図７参照）。
【００４９】
このように、第一の装置Ｄ１（信号出力源）からのノーマルモードノイズ（ここでは、第一の装置Ｄ１を発生源とするノイズ、および第一の装置Ｄ１に入力する信号に含まれるノイズであって、第一の装置Ｄ１を経由して第一の導電線Ｅ１に伝播するノイズの双方を含む。）および第二の装置Ｄ２（負荷装置）からのノーマルモードノイズの双方を独立に打ち消すことが可能であるため、第一の巻線Ｌ１と第三の巻線Ｌ３との間には、外部からのノイズが除去されたノイズフリーな領域を形成することが実現される。このような構成を有していることにより、第一の導電線Ｅ１を伝播するノーマルモードノイズのうち、特に高周波成分が有効に除去される。図２を用いてこの点を説明する。
【００５０】
図２は、図１に示されるノイズ抑制回路における損失の周波数特性を、比較例をなす回路における損失の周波数特性とともに示す特性図である。
図２において符号１で示される曲線（以下、「曲線１」という。）が図１に示されるノイズ抑制回路における損失の周波数特性を示している。図２において符号２で示される曲線（以下、「曲線２」という。）は、図３に示される従来技術に係るノイズ抑制回路を用いた場合の損失の周波数特性を示しており、図２において符号３で示される曲線（以下、「曲線３」という。）は、図４に示されるノイズ抑制回路における損失の周波数特性を示している。図４に示されるノイズ抑制回路は、図１に示されるノイズ抑制回路から、第一の分岐点Ｐ１、第三の分岐点Ｐ３、第一の連絡導電線Ｂ１、第一の巻線Ｌ１、第三の巻線Ｌ３、および第一の逆相信号伝送手段Ｃ１が除去されたものであり、その構成から、第二の装置Ｄ２（負荷装置）から発生するノーマルモードノイズを抑制する機能を有している。なお、図１，３，および４に示される回路における各電気素子の特性は表１のとおりである。
【００５１】
【表１】
2010187315.tif 000003
【００５２】
図２に示されるように、曲線１は、図１に係る回路ではノーマルモードノイズにおける３０ｋＨｚ以上の周波数成分の減衰が−６０ｄＢ未満になる。これに対し、図４に係る回路では、曲線３に示されるように、いずれの周波数成分においても減衰は−３０ｄＢ以下に低減されない。また、曲線２に示されるように、図３に係る回路では、図１に係る回路よりもノイズの高周波成分が残留し、特に、６０ｋＨｚ以上ではいったん減衰したノイズが再び増加してくる。このような高周波のノイズ成分が残留すると、画像ではちらつきとして観察され、音響では音のざらつき（滑らかさの低下）として認識され、いずれも画質低下や音質低下の重大な要因となる。
【００５３】
図８は、図７に示されるノイズ抑制回路における損失の周波数特性を示す特性図である。
図７に示されるＣ１、Ｃ２を構成する６つのコンデンサの特性は次のとおりである。
【００５４】
Ｃ１を構成するコンデンサ
Ｃ１１：株式会社指月電機製作所製  TME250V206K
Ｃ１２：株式会社指月電機製作所製  TME250V106K（マイラーフィルムコンデンサ、容量１０μＦ）
Ｃ１３：株式会社指月電機製作所製  TME250V306K（マイラーフィルムコンデンサ、容量３０μＦ）
Ｃ２を構成するコンデンサ
Ｃ２１：株式会社指月電機製作所製  TME250V206K
Ｃ２２：株式会社指月電機製作所製  TME250V106K
Ｃ２３：株式会社指月電機製作所製  TME250V306K
【００５５】
図８において符号１で示される曲線は、図２における曲線と同じであり、Ｃ１にはＣ１１が、Ｃ２にはＣ２１が接続されている場合の特性曲線である。一方、符号５で示される特性曲線は、Ｃ１にはＣ１２が、Ｃ２にはＣ２２が接続されている場合の特性曲線であり、符号６で示される特性曲線は、Ｃ１にはＣ１３が、Ｃ２にはＣ２３が接続されている場合の特性曲線である。
【００５６】
このように、使用するコンデンサの種類や容量をノイズの周波数特性に応じて適宜選択することにより、損失の周波数特性を変化させることが可能である。したがって、負荷装置に最適なコンデンサを適宜選択することによって、その装置にとって最も効率的なノイズ抑制回路を構成することが可能となる。
【００５７】
なお、上記の構成ではいずれも、Ｃ１に使用されるコンデンサ群とＣ２に使用されるコンデンサ群とが同種のコンデンサとなっているが、これらの構成はＣ１およびＣ２に使用するコンデンサを変更することが損失特性曲線に与える影響を確認するために例示的に示したものに過ぎない。実際の使用に当たっては、第一の装置Ｄ１（信号出力源）およびその信号が入力する第二の装置Ｄ２（負荷装置）が発生するノイズの特性に合わせて、Ｃ１およびＣ２に対応するコンデンサの種類および容量を個別に設定することが好ましい。
【００５８】
図５は、本発明に係るノイズ抑制回路の第一の実施形態における別の一例を示す回路図である。
図５に示される回路は、信号を出力する第一の装置Ｄ１（信号出力源）およびその信号が入力する第二の装置Ｄ２（負荷装置）との間に設けられた第一および第二の導電線Ｅ１，Ｅ２を伝播するコモンモードノイズをも抑制可能な回路であって、図１に示される回路と同様に、第一の導電線Ｅ１には、第一の分岐点Ｐ１および第一の巻線Ｌ１が設けられ、第一の導電線Ｅ１および第二の導電線Ｅ２の間を連絡する第一の連絡導電線Ｂ１および第二の連絡導電線Ｂ２を備える。そして、第一の連絡導電線Ｂ１には、第一の巻線Ｌ１に電磁結合された第三の巻線Ｌ３および第一の逆相信号伝送手段Ｃ１が設けられ、第二の連絡導電線Ｂ２には、第二の巻線Ｌ２に電磁結合された第四の巻線Ｌ４および第二の逆相信号伝送手段Ｃ２が設けられている点も図１に示されるノイズ抑制回路と同様である。
【００５９】
図５に示されるノイズ抑制回路は、さらに、第一の導電線Ｅ１には、第一の巻線Ｌ１と第二の巻線Ｌ２との間に第五の分岐点Ｐ５、およびこの第五の分岐点Ｐ５と第二の巻線Ｌ２との間に第六の分岐点Ｐ６が設けられている。また、第二の導電線Ｅ２には、第一の装置Ｄ１と第三の分岐点Ｐ３との間に第七の分岐点Ｐ７、および第四の分岐点Ｐ４と第二の装置Ｄ２との間第八の分岐点Ｐ８が設けられている。
【００６０】
そして、第五の分岐点Ｐ５と第七の分岐点Ｐ７とは第三の連絡導電線Ｂ３で接続され、第六の分岐点Ｐ６と第八の分岐点Ｐ８とは第四の連絡導電線Ｂ４で接続されている。
第二の導電線Ｅ２には、第七の分岐点Ｐ７と第三の分岐点Ｐ３との間に第五の巻線Ｌ５、および前記第四の分岐点Ｐ４と前記第八の分岐点Ｐ８との間に第六の巻線Ｌ６が設けられている。
【００６１】
第三の連絡導電線Ｂ３には、第五の巻線Ｌ５に電磁結合された第七の巻線Ｌ７、およびこの第七の巻線Ｌ７と第七の分岐点Ｐ７との間に第三の逆相信号伝送手段Ｃ３が設けられている。
【００６２】
第四の連絡導電線Ｂ４には、第六の巻線Ｌ６に電磁結合された第八の巻線Ｌ８、およびこの第八の巻線Ｌ８と第八の分岐点Ｐ８との間に第四の逆相信号伝送手段Ｃ４が設けられている。
【００６３】
このような構成を有することで、第二の導電線Ｅ２を伝播するノイズについても、第一の導電線Ｅ１の場合と同様に、高度にノイズ除去を行うことが実現される。
図１に示される第一の逆相信号伝送手段Ｃ１，第二の逆相信号伝送手段Ｃ２と同様に、第三の逆相信号伝送手段Ｃ３，第四の逆相信号伝送手段Ｃ４も、単独のコンデンサで構成されていてもよいし、複数のコンデンサを有し、必要に応じ最適なコンデンサを選択できるようなスイッチング回路を有していてもよい。
【００６４】
また、コモンモードノイズを除去する観点から、第三および第四の逆相信号伝送手段Ｃ３，Ｃ４は、それぞれ、第一および第二の逆相信号伝送手段Ｃ１，Ｃ２と信号伝達特性が同一であってもよい。具体的には、第一の逆相信号伝送手段Ｃ１と第三の逆相信号伝送手段Ｃ３とが同一のコンデンサから構成され、第二の逆相信号伝送手段Ｃ２と第四の逆相信号伝送手段Ｃ４とが同一のコンデンサから構成されていればよい。
【００６５】
ここで、ノーマルモードノイズを効率的に除去する観点からは、次の構成を一つ以上備えることが好ましく、全てを備えることが特に好ましい。
（１）第一の巻線Ｌ１と第三の巻線Ｌ３との巻数比が１：１。
（２）第二の巻線Ｌ２と第四の巻線Ｌ４との巻数比が１：１。
（３）第五の巻線Ｌ５と第七の巻線Ｌ７との巻数比が１：１。
（４）第六の巻線Ｌ６と第八の巻線Ｌ８との巻数比が１：１。
【００６６】
また、コモンモードノイズを効率的に除去する観点からは、次の構成を一つ以上備えることが好ましく、全てを備えることが特に好ましい。
（５）第一の巻線Ｌ１と第五の巻線Ｌ５との巻数比が１：１。
（６）第二の巻線Ｌ２と前記第六の巻線Ｌ６との巻数比が１：１。
（７）第一の巻線Ｌ１と第三の巻線Ｌ３との巻数比が、第五の巻線Ｌ５と第七の巻線Ｌ７との巻数比と等しい。
（８）第二の巻線Ｌ２と第四の巻線Ｌ４との巻数比が、第六の巻線Ｌ６と第八の巻線Ｌ８との巻数比と等しい。
【００６７】
図６は、図５に示されるノイズ抑制回路における損失の周波数特性を、図１に示されるノイズ抑制回路における損失の周波数特性とともに示す特性図である。図５に示される回路における各電気素子の特性は表２のとおりである。なお、表１に示される電気素子については特性が同一なので表示を省略した。
【００６８】
図６において符号４で示される曲線（以下、「曲線４」という。）が図５に示されるノイズ抑制回路における損失の周波数特性を示している。
【００６９】
【表２】
2010187315.tif 000004
【００７０】
図６に示されるように、曲線４は、曲線１よりも低周波側でノイズの損失が低下しており、特に、数ｋＨｚにおける差異が顕著である。この周波数帯域は、音響信号の場合には高音域に相当し、人間にとって最も聞き取りやすい音域であるため、この周波数帯域のノイズが低減されていることは、音質の向上が顕著に認識されやすい。画像においても、鮮鋭度が良好でゆらぎが少なくなる。
【００７１】
図９は、本発明に係るノイズ抑制回路における第二の実施形態の一例を示す回路図である。
図９に示される回路は、図１に示される回路を基礎として得られる回路であり、別の負荷装置として、第二の装置Ｄ２に対して並列に第三の装置Ｄ３が設けられている点が図１に示される回路との大きな相違点である。
【００７２】
その構成を具体的に説明する。まず、第一の導電線Ｅ１において第一の装置Ｄ１（信号出力源）と第一の分岐点Ｐ１との間に第一の付加分岐点Ｐ１０が、第二の導電線Ｅ２において第一の装置Ｄ１と第三の分岐点Ｐ３との間に第二の付加分岐点Ｐ１１が設けられ、これらの付加分岐点のそれぞれを一方の起点として、第二の装置Ｄ２と同様に、第一の装置Ｄ１からの信号が入力する負荷装置である第三の装置Ｄ３と接続する第三の導電線Ｅ３および第四の導電線Ｅ４がそれぞれ設けられている。
【００７３】
そして、第一の導電線Ｅ１および第二の導電線Ｅ２ならびにこれらに接続される連絡導電線Ｂ１，Ｂ２に形成された部分回路（図９においてＡ１で示されている。）と同様の構成を備える部分回路が、第三の導電線Ｅ３および第四の導電線Ｅ４ならびにこれらに接続される連絡導電線Ｂ１’，Ｂ２’にも設けられている。この部分回路は図９においてＡ１’で示されている。
【００７４】
部分回路Ａ１’における別の第一の巻線Ｌ１’から別の第四の巻線Ｌ４’に求められる基本特性、ならびに別の第一の逆相信号伝送手段Ｃ１’および別の第二の逆相信号伝送手段Ｃ２’に求められる基本特性は、それぞれ、部分回路Ａ１における、第一の巻線Ｌ１から第四の巻線Ｌ４に求められる基本特性、ならびに第一の逆相信号伝送手段Ｃ１および第二の逆相信号伝送手段Ｃ２に求められる基本特性と同じである。ただし、これらの回路構成要素の具体的な構成、例えば巻線であれば巻数および巻数比の値、ならびに逆相信号伝送手段であればこれを構成するコンデンサの種類および容量は、第一の装置Ｄ１（信号出力源）および第三の装置Ｄ３に応じて適宜設定される。
【００７５】
図１０は、本発明に係るノイズ抑制回路における第二の実施形態の別の一例を示す回路図である。
図１０に示される回路も図１に示される回路を基礎として得られる回路であり、図９に示される回路と同様に、第一の導電線Ｅ１に第一の付加分岐点Ｐ１０が、第二の導電線Ｅ２に第二の付加分岐点Ｐ１１が設けられ、これらの分岐点のそれぞれを一方の起点として、第三の装置Ｄ３と接続する第三の導電線Ｅ３および第四の導電線Ｅ４がそれぞれ設けられている。
【００７６】
ただし、図１０に示される回路の場合には、図９に示される回路と異なり、第一の付加分岐点Ｐ１０は第一の巻線Ｌ１と第二の巻線Ｌ２との間に設けられ、第二の付加分岐点Ｐ１１は第三の分岐点Ｐ３と第四の分岐点Ｐ４との間に設けられている。また、付加分岐点Ｐ１０，Ｐ１１と第三の装置Ｄ３との間には、付加分岐点Ｐ１０，Ｐ１１と第二の装置Ｄ２との間に形成される部分回路（図１０においてＡ２で示されている。）と同様の構成を有する部分回路Ａ２’が形成されている。
【００７７】
部分回路Ａ２’における別の第二の巻線Ｌ２’および別の第四の巻線Ｌ４’に求められる基本特性、ならびに別の第二の逆相信号伝送手段Ｃ２’に求められる基本特性は、それぞれ、部分回路Ａ２における、第二の巻線Ｌ２および第四の巻線Ｌ４に求められる基本特性、ならびに第二の逆相信号伝送手段Ｃ２に求められる基本特性と同じである。ただし、これらの回路構成要素の具体的な構成、例えば巻線であれば巻数および巻数比の値、ならびに逆相信号伝送手段であればこれを構成するコンデンサの種類および容量は、第一の装置Ｄ１（信号出力源）および第三の装置Ｄ３に応じて適宜設定される。
【００７８】
この構成の場合には、図９に示される回路と比べて、第一の装置Ｄ１に由来するノーマルモードノイズを消去するための部分回路が共有化されており、回路が簡略化されている。
【００７９】
図１１は、本発明に係るノイズ抑制回路における第二の実施形態の他の一例を示す回路図である。
図１１に示される回路も図１に示される回路を基礎として得られる回路であり、図１０に示される回路と同様に、第一の導電線Ｅ１に第一の付加分岐点Ｐ１０が第一の巻線Ｌ１と第二の巻線Ｌ２との間に、第二の導電線Ｅ２に第二の付加分岐点Ｐ１１が第三の分岐点Ｐ３と第四の分岐点Ｐ４との間に設けられ、これらの分岐点を起点として第三の装置Ｄ３と接続する第三の導電線Ｅ３および第四の導電線Ｅ４がそれぞれ設けられている。
【００８０】
ただし、図１０に示される回路と異なり、第三の分岐点Ｐ３と第四の分岐点Ｐ４との間には特に回路は構成されていない。前述のように、図１に示される回路では、第一の巻線Ｌ１と第二の巻線Ｌ２との間における第一の導電線Ｅ１はノーマルモードノイズが特に抑制された状態となっており、ここから分岐した導電線により接続される負荷装置には、ノイズがほとんど存在しない信号が入力する。したがって、接続される負荷装置（図中は第三の装置Ｄ３）から特にノイズが発生しない場合には、このような回路を用いることによって、ノイズを効率的に除去することが実現される。
【００８１】
以上の図９から１１に示される回路は、図１に示される回路において、信号出力源（第一の装置Ｄ１）に接続される負荷装置が一つ増えた場合、すなわち信号出力源に対して２個の負荷装置が並列的に接続された回路構成においてノーマルモードノイズを効率的に抑制することが可能なノイズ抑制回路である。図１に示される回路において、信号出力源（第一の装置Ｄ１）に接続される負荷装置が二つ増えた場合、すなわち、一つの信号出力源に対して３個以上の負荷装置が並列的に接続された場合には、付加分岐点Ｐ１０，Ｐ１１に接続される導電線のセットを適宜増やし、図９または図１０に示される部分回路Ａ１’またはＡ２’をこれらの付加分岐点と第三の装置Ｄ３との間に必要に応じ設ければよい。
【００８２】
また、コモンモードノイズについても抑制することを望む場合には、基本となる回路として図１に示される回路に代えて図５に示される回路を用い、増設する部分回路においてもコモンモードノイズを抑制可能な回路を必要に応じ設ければよい。
【００８３】
図９から図１１に示されるような回路の応用例として、信号出力源に該当する第一の装置Ｄ１、ならびに負荷装置に該当する第二および第三の装置Ｄ２，Ｄ３に代えて、これらを接続可能な端子が接続された回路構成を備える装置は、接続される複数の負荷装置に対してノイズが抑制された信号を供給することができ、好ましい。
【００８４】
このような装置の具体例として、ディストリビュータを挙げることができる。ディストリビュータは、信号出力源である第一の装置Ｄ１からの信号が入力する負荷装置が複数接続することが可能なように上記の端子を複数備え、これに接続される複数の負荷装置への信号供給を開始または停止するときに発生する自己インダクタンスが他の負荷装置に与える影響を抑制するために、各負荷装置への信号供給の開始／停止のタイミングを調整するタイミング制御回路を有するものである。このような装置は、全ての負荷装置が接続されているときには、一つの信号出力源に複数の負荷装置が並列に接続された状態となるため、各負荷装置からのノイズが他の負荷装置に伝播しやすい。そこで、本実施形態のようなノイズ抑制回路の構成を有することによって、負荷装置間でのノイズ伝播を抑制することができる。
【図１】
2010187315.tif 000005
【図２】
2010187315.tif 000006
【図３】
2010187315.tif 000007
【図４】
2010187315.tif 000008
【図５】
2010187315.tif 000009
【図６】
2010187315.tif 000010
【図７】
2010187315.tif 000011
【図８】
2010187315.tif 000012
【図９】
2010187315.tif 000013
【図１０】
2010187315.tif 000014
【図１１】
2010187315.tif 000015